(57)【要約】【課題】  小形化でき、部品点数を低減できる防水コネクタを提供すること。【解決手段】  ガイドハウジング１０の内周面に配設固定したシール部材１１を挟んだ前記ガイドハウジング１０の―側の筒状部に雄端子７を保持した雄ハウジング８を嵌合保持しており、前記ガイドハウジング１０の他側の筒状部に雌端子３を収容保持した雌ハウジング４を嵌合保持しており、前記シール部材１１は一面側に前記雄ハウジング８と前記ガイドハウジング１０との間をシールする第１シール部１１ａ、他面側に前記ガイドハウジング１０と前記雌ハウジング４との間をシールする第２シール部１１ｂを有する。【選択図】  図２
2011065957.tif 000002
【特許請求の範囲】
【請求項１】
雌端子を雌ハウジングに収容保持した雌コネクタと、
筒状のガイドハウジングの軸方向における中間部の内周面にその外周面を密着するようにして防水用のシール部材が配設固定されており、該シール部材を挟んだ前記ガイドハウジングの一側の筒状部に雄端子を保持した前記雄ハウジングが嵌合保持されており、前記ガイドハウジングの他側の筒状部に前記雌ハウジングが嵌合する雌ハウジング嵌合穴部を形成した雄コネクタとを備え、
前記雄端子は、一端が前記雄ハウジングの嵌合側端面から前記シール部材を貫通して前記雌ハウジング嵌合穴部内に突出し前記雌端子との接触部を形成しており、
前記シール部材は、一面側に前記雄ハウジングと前記ガイドハウジングとの間をシールする第１シール部、他面側に前記ガイドハウジングと前記雌ハウジングとの間をシールする第２シール部を形成していることを特徴とする防水コネクタ。
【請求項２】
前記第１シール部は圧入凹部であり、前記雄ハウジングの嵌合側端面から突出する前記雄端子の突出基部の周りに設けた雄ハウジング圧入凸部を前記圧入凹部に圧入することで、前記雄ハウジングと前記ガイドハウジングとの間をシールすることを特徴とする１項記載の防水コネクタ。
【請求項３】
前記圧入凹部の内周面には、前記雄ハウジング圧入凸部の外周面の全周にわたって密着シールするシール用突条を設けていることを特徴とする２項記載の防水コネクタ。
【請求項４】
前記第２シール部は前記シール部材から前記雌ハウジング嵌合穴部内に突出する前記雄端子の突出基部の周りに設けた圧入凸部であり、前記雌ハウジングの嵌合側端面に設けた雌ハウジング圧入凹部を前記圧入凸部に外嵌し圧入することで、前記ガイドハウジングと前記雌ハウジングとの間をシールすることを特徴とする１項乃至３項の何れかに記載の防水コネクタ。
【請求項５】
前記圧入凸部の外周面には、前記雌ハウジング圧入凹部の内周面の全周にわたって密着シールするシール用突条を設けていることを特徴とする４項記載の防水コネクタ。
【請求項６】
前記シール部材は弾性体からなり、前記ガイドハウジングは樹脂材からなり、前記シール部材と前記ガイドハウジングは二色成形により一体形成されていることを特徴とする１項乃至５項の何れかに記載の防水コネクタ。
【発明の詳細な説明】
【技術分野】
【０００１】
本発明は、雄コネクタ及び雌コネクタ間の防水シールを行なうシール部材を備えている防水コネクタに関する。
【背景技術】
【０００２】
関連技術１としては、雌コネクタと雄コネクタとを嵌合した際に、互いに接続する端子対毎に個別に防水を行なう防水コネクタが知られている（例えば、特許文献１を参照）。
【０００３】
この防水コネクタの雌コネクタは、雌ハウジングと、雌ハウジングに保持されている雌端子と、雌ハウジングのハウジング前壁の前面に密着する雌側のシール材とを有する。雄コネクタは雄ハウジングと、雄ハウジングに保持されている雄端子と、雄側のシール材とを有する。雄ハウジングは前側部分と後側部分とに分割されている。雄ハウジングの前側部分及び後側部分間には、雄側のシール材が挟み込まれている。雌ハウジングの前側には、雌側のシール材を保持するシール材ホルダが装着可能となっている。
【０００４】
雌コネクタと雄コネクタとが嵌合したときには、各雄端子毎に形成されている突出部がシール材ホルダの突出部挿通孔に挿通されるようにして雌側のシール材における貫通孔のシール用凸部に全周にわたって密着するため、雌ハウジングに形成されている雄端子挿入孔から雌ハウジング内に水が浸入することが雌側のシール材によって防がれる。
【０００５】
また、雄コネクタにおいても、前側部分と後側部分の両部分の間に挟み込まれる雄側のシール材によって各雄端子毎の個別防水が果たされる。
【先行技術文献】
【特許文献】
【０００６】
【特許文献１】特開２００６−１４７２４８号公報（公報の段落［００２８］、段落［００３３］、段落［００３８］、段落［００５９］［図１］を参照）
【発明の概要】
【発明が解決しようとする課題】
【０００７】
関連技術１の防水コネクタは、雌側及び雄側の２つのシール材があるため、雌コネクタと雄コネクタとが嵌合した時の全長寸法が大きくなってしまうという問題がある。
【０００８】
また、関連技術１の防水コネクタは、雌側及び雄側のシール材が互いに異なる形状の２つのシール材を必要とすることから、シール部材の部品点数が増えてしまうという問題がある。
【０００９】
それ故に、本発明の課題は、雄コネクタと雌コネクタとが嵌合した時の全長寸法を低減することができ、小形化が可能な防水コネクタを提供することにある。
【００１０】
また、本発明の他の課題は、シール部材の部品点数を削減することができる防水コネクタを提供することにある。
【課題を解決するための手段】
【００１１】
本発明の実施態様によるコネクタによれば、雌端子を雌ハウジングに収容保持した雌コネクタと、筒状のガイドハウジングの軸方向における中間部の内周面にその外周面を密着するようにして防水用のシール部材が配設固定されており、該シール部材を挟んだ前記ガイドハウジングの一側の筒状部に雄端子を保持した前記雄ハウジングが嵌合保持されており、前記ガイドハウジングの他側の筒状部に前記雌ハウジングが嵌合する雌ハウジング嵌合穴部を形成した雄コネクタとを備え、前記雄端子は、一端が前記雄ハウジングの嵌合側端面から前記シール部材を貫通して前記雌ハウジング嵌合穴部内に突出し前記雌端子との接触部を形成しており、前記シール部材は、一面側に前記雄ハウジングと前記ガイドハウジングとの間をシールする第１シール部、他面側に前記ガイドハウジングと前記雌ハウジングとの間をシールする第２シール部を形成していることを特徴とする防水コネクタが得られる。
【００１２】
前記コネクタにおいては、前記第１シール部は圧入凹部であり、前記雄ハウジングの嵌合側端面から突出する前記雄端子の突出基部の周りに設けた雄ハウジング圧入凸部を前記圧入凹部に圧入することで、前記雄ハウジングと前記ガイドハウジングとの間をシールするものであってもよい。
【００１３】
前記コネクタにおいては、前記圧入凹部の内周面に前記雄ハウジング圧入凸部の外周面の全周にわたって密着シールするシール用突条を設けるようにしてもよい。
【００１４】
前記コネクタにおいては、前記第２シール部が前記シール部材から前記雌ハウジング嵌合穴部内に突出する前記雄端子の突出基部の周りに設けた圧入凸部であり、前記雌ハウジングの嵌合側端面に設けた雌ハウジング圧入凹部を前記圧入凸部に外嵌し圧入することで、前記ガイドハウジングと前記雌ハウジングとの間をシールするようにしてもよい。
【００１５】
前記コネクタにおいては、前記圧入凸部の外周面に前記雌ハウジング圧入凹部の内周面の全周にわたって密着シールするシール用突条を設けるようにしてもよい。
【００１６】
前記コネクタにおいては、前記シール部材が弾性体からなり、前記ガイドハウジングは樹脂材からなり、前記シール部材と前記ガイドハウジングは二色成形により一体形成されていてもよい。
【発明の効果】
【００１７】
本発明の実施態様に係る防水コネクタによれば、１個のシール部材により防水シールができるように構成されているため、雄コネクタと雌コネクタとが嵌合した時の全長寸法を低減することができるので、小形化が可能となるという利点がある。
【００１８】
また、本発明の実施態様に係る防水コネクタによれば、１個のシール部材により防水シールができるように構成されているため、シール部材の部品点数を削減することができるという利点がある。
【図面の簡単な説明】
【００１９】
【図１】本発明の一実施の形態例に係る防水コネクタを示しており、防水コネクタに電線を接続した形態を示した斜視図である。
【図２】図1に示した防水コネクタの縦断面図である。
【図３】図１に示した雌コネクタを示す斜視図である。
【図４】図３に示した雌コネクタの縦断面図である。
【図５】図３に示した雌コネクタにおいて、雌ハウジング、電線を接続した雌端子及び雌リテーナを分解して示した斜視図である。
【図６】図５に示した雌ハウジングを示した縦断面図である。
【図７】図１に示した雄コネクタを示しており、雄コネクタに電線を接続した形態を示した斜視図である。
【図８】図７に示した雄コネクタの縦断面図である。
【図９】図８に示した雌コネクタにおいて、ガイドハウジング、雄ハウジング、電線を接続した雄端子及び雄リテーナを分解して示した斜視図である。
【図１０】図９に示した雄ハウジングを嵌合側である前側から見た状態を示す斜視図である。
【図１１】図１０に示した雄ハウジングの縦断面図である。
【図１２】図９に示したガイドハウジングを示した斜視図である。
【図１３】図１２に示したガイドハウジングとシール部材とを示す縦断面図である。
【図１４】図１３に示したガイドハウジングとシール部材との縦断面を斜視して示した斜視断面図である。
【図１５】図９に示したガイドハウジングを嵌合側である前側から見た正面図である。
【図１６】図1５に示したガイドハウジングのＡ−Ａ線断面図である。
【図１７】図１４に示したシール部材を示した斜視図である。
【図１８】図１７に示したシール部材を後側から見た状態を示した斜視図である。
【図１９】(ａ)は図１８に示したシール部材の平面図、(ｂ)は（ａ）に示したシール部材の正面図、(ｃ)は（ｂ）に示したシール部材の右側面図、(ｄ)は（ｃ）に示したシール部材の右側面図である。
【図２０】本発明に係る防水コネクタの構成における変形例を示しており、シール部材を別体に形成したときのガイドハウジングヘの取り付け構造を示す縦断面図である。
【図２１】本発明に係る防水コネクタの雄ハウジングにおける変形例を示した縦断面図である。
【発明を実施するための形態】
【００２０】
図１及び図２は、本発明の一実施の形態例に係る防水ネクタを示している。防水コネクタ１は、互いに嵌合接続することで電気的接続をとる雌コネクタ２と雌コネクタ２と嵌合する雄コネクタ６とからなる。なお、この実施の形態例において、雌コネクタ２及び雄コネクタ６は、互いに嵌合する側をそれぞれ前側として説明する。
【００２１】
図３乃至図５は、雌コネクタ２の構成を示している。図２乃至図５をも参照して、雌コネクタ２は、雌端子３（この雌コネクタ２の例では２個の雌圧着端子）と、雌端子３を収容保持する雌ハウジング４と、雌リテーナ５とからなる。
【００２２】
雌端子３は、一端側の内部に接触バネ片３ｃ（図２及び図４を参照）を有する箱型の接触部３ａと、接触部３ａの他端側に電線１２を圧着接続する電線圧着部３ｂとを有する。雌端子３の使用に際しては、電線１２を電線圧着部３ｂに圧着接続した後、電線圧着部３ｂ及び電線圧着部３ｂ周辺の電線１２周りに密着するようにしてシールゴム１２ａを被せる。
【００２３】
さらに、雌ハウジング４は、図６にも示すように、前後に貫通する２つの雌端子収容室４ｂを有する。雌端子収容室４ｂの前端側には、大径になって前端側に開口する雌ハウジング圧入凹部４ａが形成されている。雌端子収容室４ｂと雌ハウジング圧入凹部４ａの境目には、雄端子挿通穴４ｃを有する立ち上がり壁部４ｄが形成されている。雌端子収容室４ｂの上壁部には、中間部から前方に延びる片持ち梁状のランス４ｅが形成されている。
【００２４】
雌ハウジング４の上面には、前端側から後方に延びるロック片４ｆが形成されている。同じく雌ハウジング４の上面の後端側には、第２係止片挿入溝４ｉが形成されている。第２係止片挿入溝４ｉを挟んだ両側上面には、係合突部４ｊが形成されている。
【００２５】
雌リテーナ５は、雌ハウジング４の後側端面を覆う覆板部５ａと、覆板部５ａの左右側縁から前方に延びるコ字状の第１係止片５ｄと、覆板部５ａの上縁から前方に延びる第２係止片５ｅとを有する。
【００２６】
覆板部５ａの下縁には、２つのＵ字状の電線挿通溝５ｂと、電線挿通溝５ｂの周縁部から前方に延びるＵ字状のシールゴム押さえ片５ｃとを有する。第２係止片５ｅの先端には、Ｔ字状になって立ち上がる係止部５ｆを有する。
【００２７】
雌コネクタ１の組み立ては、雌端子３に電線１２及びシールゴム１２ａを取り付けた後、雌ハウジング４の雌端子収容室４ｂにその後側開口部から雌端子３を挿入し、シールゴム１２ａを雌端子収容室４ｂに圧入する。すると、雌端子３の接触部３ａが雌ハウジング４の立ち上がり壁部４ｄに突き当たって雄端子挿通穴４ｃに対向する。このとき、接触部３ａの後側端部にランス４ｅの先端の係止段部４ｈが係止して抜け止めされることで、雌端子３が雌端子収容室４ｂに保持される。また、雌端子収容室４ｂと外部との間がシールゴム１２ａによりシールされる。
【００２８】
その後、雌ハウジング４の後側端面を雌リテーナ５の覆板部５ａで覆う。そして、雌リテーナ５の第１係止片５ｄを雌ハウジング４の左右側壁面に設けた係合突部４ｇに係合すると共に、第２係止片５ｅを雌ハウジング４の第２係止片挿入溝４ｉに挿入しＴ字状の係止部５ｆの両側部分を係合突部４ｊに係合することで雌リテーナ５を雌ハウジング４に取り付ける。すると、電線１２は雌リテーナ５の電線挿通溝５ｂ及びシールゴム押さえ片５ｃのＵ字状部に入る。このとき、シールゴム押さえ片５ｃが雌端子収容室４ｂ内に入ってシールゴム１２ａの後端部を押さえ、シールゴム１２ａが雌端子収容室４ｂから抜け出ることを防止する。以上で雌コネクタ１の組み立てが完成する。
【００２９】
図７乃至図９は、図１及び図２に示した雄コネクタ６の構成を示している。図７乃至図９を参照して、雄コネクタ６は、雄端子７（この雄コネクタ６では２個の雄圧着端子）と、雄端子７を保持する雄ハウジング８と、雄リテーナ９と、ガイドハウジング１０と、シール部材１１とからなる。
【００３０】
雄端子７は一端側にピン状の接続部７ａと、他端側に電線１３を圧着接続する電線圧着部７ｂと、中間部に箱型に曲げ形成された係止部７ｃとを有する。雄コネクタ６の使用に際しては、電線１３を電線圧着部７ｂに圧着接続した後、電線圧着部７ｂ及び電線圧着部７ｂ周辺の電線１３周りに密着するようにしてシールゴム１３ａを被せる。
【００３１】
雄ハウジング８は、前後に貫通する左右２つの雄端子収容室８ｂを有する。雄ハウジング８には、図１０及び図１１にも示すように、前側端面に雄端子収容室８ｂの前側の開口周縁部から縦長楕円の筒形状になって前方に突出する雄ハウジング圧入凸部８ａが形成されている。
【００３２】
雄ハウジング圧入凸部８ａの後側端面には、雄端子収容室８ｂの上方部から前方に向けて形成された水平板部挿入穴８ｃが形成されている。雄端子収容室８ｂの上壁部には、中間部から前方に延びる片持ち梁状のランス８ｄが形成されている。
【００３３】
雄リテーナ９は、雄ハウジング８の後側端面を覆う覆板部９ａと、覆板部９ａの左右側縁から前方に延びる係止片９ｄ（図７及び図９を参照）と、覆板部９ａの上縁から前方に延びる水平板部９ｅとを有する。
【００３４】
覆板部９ａの下縁には２つの逆Ｕ字状の電線挿通溝９ｂと、電線挿通溝９ｂの周縁部から前方に延びるＵ字状のシールゴム押さえ片９ｃとを有する。
【００３５】
ガイドハウジング１０は樹脂材からなり、図１２乃至図１６にも示すように、雌ハウジング嵌合穴部１０ａと雄ハウジング嵌合穴部１０ｂとを有する。また、ガイドハウジング１０は、角筒状の筒状部内の前後方向における中間部の内周面にシール部材１１を取り付ける内向きフランジ部１０ｃを有する。すなわち、ガイドハウジング１０は、内向きフランジ部１０ｃからガイドハウジング１０の前半部が雌ハウジング嵌合穴部１０ａを形成しており、後側半部が雄ハウジング嵌合穴部１０ｂを形成している。
【００３６】
ガイドハウジング１０の内向きフランジ部１０ｃの前側下半部は隔壁１０ｄで塞がれている。隔壁１０ｄには左右に２つの雄端子挿通穴１０ｅが形成されている。ガイドハウジング１０の上壁部の後半部側には、コ字状の切り溝を入れることでロック片１０ｆが形成されている。ガイドハウジング１０の後半部側における左右の側壁部には、四角状に切り欠いて形成した切り欠け部１０ｈが形成されている。
【００３７】
シール部材１１は、図２、図８、図１３、図１４とともに図１７乃至図１９（ａ）〜図１９（ｄ）に示している。シール部材１１は、シリコーンゴム、ニトリルゴムなどゴム材からなる弾性体であり、圧入凹部（第１シール部）１１ａ、圧入凸部（第２シール部）１１ｂ、シール用突条１１ｃ，１１ｄ、及び本体部１１ｅを有する。
【００３８】
シール部材１１とガイドハウジング１０は、二色成形により一体形成されている。すなわち、シール部材１１は二色成形により内向きフランジ部１０ｃの内周面に本体部１１ｅの外周面を密着するようにしてガイドハウジング１０と一体形成されている。
【００３９】
本体部１１ｅの後面には、縦長楕円形状の左右２つの圧入凹部１１ａが形成されている。シール部材１１の前面には、雌ハウジング嵌合穴部１０ａ内に突出する縦長楕円形状の２つの圧入凸部１１ｂが形成されている。
【００４０】
圧入凸部１１ｂは、シール部材１１から雌ハウジング嵌合穴部１０ａ内に突出する雄端子７の突出基部の周りに設けた部分である。圧入凹部１１ａの内周面及び圧入凸部１１ｂの外周面には、シール用突条１１ｃ，１１ｄがそれぞれ形成されている。
【００４１】
また、ガイドハウジング１０の隔壁１０ｄは、雄端子挿通穴１０ｅが圧入凹部１１ａの底面部に露出するようにしてシール部材１１に埋設されている。圧入凸部１１ｂの下方部には、雄端子挿通穴１０ｅに連通するようにして雄端子挿通シール穴１１ｆが貫通形成されている。圧入凸部１１ｂの前側端面の上方部には角柱状の雌端子押さえ１１ｇが突出形成されている。
【００４２】
雄コネクタ６の組み立ては、先ず、シール部材１１付きガイドハウジング１０の雄ハウジング嵌合穴部１０ｂに雄ハウジング８を嵌合装着する。すると、雄ハウジング８の上面に形成した係合突部８ｅがガイドハウジング１０のロック片１０ｆに形成した係止穴１０ｇに係合して、ガイドハウジング１０と雄ハウジング８とを一体化する。
【００４３】
また、雄ハウジング８の雄ハウジング圧入凸部８ａがシール部材１１の圧入凹部１１ａに圧入し、圧入凹部１１ａの内周面のシール用突条１１ｃが雄ハウジング圧入凸部８ａの外周面の全周にわたって密着してガイドハウジング１０と雄ハウジング８との間を防水シールする。
【００４４】
次いで、雄端子７に電線１３及びシールゴム１３ａを取り付けた後、雄ハウジング８の雄端子収容室８ｂにその後側開口部から雄端子７を挿入し、シールゴム１３を雄端子収容室８ｂに圧入する。すると、雄端子７の接触部７ａは雄端子挿通穴１０ｅ及びシール部材１１の雄端子挿通シール穴１１ｆを通ってガイドハウジング１０の雌ハウジング嵌合穴部１０ａ内に突出する。
【００４５】
また、雄端子７の係止部７ｃが隔壁１０ｄに突き当たり、係止部７ｃの後側端部にランス８ｄの先端の係止段部８ｆに係止することで抜け止めされ、雄端子７が雄端子収容室８ｂに保持される。また、雄端子収容室８ｂと外部との間がシールゴム１３ａによりシールされる。
【００４６】
その後、雄ハウジング８の後側端面を雄リテーナ９の覆板部９ａで覆い、雄リテーナ９の水平板部９ｅを雄ハウジング８の水平板部挿入穴８ｃに挿入すると共に、雄リテーナ９の係止片９ｄの内面に設けた係止突部（図示せず）を雄ハウジング８の外側の左右の側壁面に設けた係止段部８ｇに係合することで雄リテーナ９を雄ハウジング８に取り付ける。すると、電線１３は雄リテーナ９の電線挿通溝９ｂ及びシールゴム押さえ片９ｃのＵ字状部に入り、シールゴム押さえ片９ｃが雄端子収容室８ｂ内に入ってシールゴム１３の後端部を押さえ、シールゴム１３が雄端子収容室８ｂから抜け出ることを防止する。なお、雄リテーナ９の係止片９ｄはガイドハウジング１０の切り欠き部１０ｈに入る。以上で雄コネクタ６の組み立てが完成する。
【００４７】
雌コネクタ２と雄コネクタ６の接続は、図１及び図２に示したように、雄コネクタ６の雌コネクタ嵌合穴部１０ａに雌コネクタ２を嵌合する。すると、雄端子７の接触部７ａが雌コネクタ２の雄端子挿通穴４ｃを通って雌端子３のソケット状の接触部３ａに挿入接触し、雌コネクタ２と雄コネクタ６とが電気的に接続する。そして、雌コネクタ２のロック片４ｆに設けた係合突部４ｋが雄コネクタ６の雌コネクタ嵌合穴部１０ａの上壁内面に設けた係止穴１０ｊに係合し、雌コネクタ２と雄コネクタ６の嵌合状態がロックされる。
【００４８】
また、シール部材１１の圧入凸部１１ｂには、雌コネクタ２の雌ハウジング圧入凹部４ａが外嵌圧入して、圧入凸部１１ｂの外周面に設けたシール用突条１１ｄが雌ハウジング４の嵌合側端面に設けた雌ハウジング圧入凹部４ａの内周面の全周にわたって密着する。すると、雌コネクタ２と雄コネクタ６との間（雌ハウジング４とガイドハウジング１０との間）が防水シールされる。
【００４９】
なお、シール部材１１の雌端子押さえ１１ｇは、雌端子収容室４ｂの上壁と雌端子３のソケット状の接触部３ａの間に入って接触部３ａが雌端子収容室４ｂ内で動くのを抑制する。
【００５０】
以上の説明から明らかなように、本発明によれは１個のシール部材１１によって、雄ハウジング８とガイドハウジング１０との間、及び雌ハウジング４とガイドハウジング１０との間の２箇所の防水シールが可能となる。
【００５１】
上記実施の形態例ではニ色成形によりシール部材１１をガイドハウジング１０と一体形成したが、シール部材１１をガイドハウジング１０とは別体に形成し、ガイドハウジング１０に組み付けるようにしてもよい。
【００５２】
図２０は図１３に相当する変形例を示す図であり、シール部材１１を別体に形成したときのガイドハウジング１０ヘの取り付け構造を示す。なお、図１３によって説明したシール部材１１及びガイドハウジング１０と同様な機能を果たす部分を同じ参照番号に「´」記号を付して示した。
【００５３】
本変形例では、別体に形成したシール部材１１´は、シール部材１１´の本体部１１ｅ´をその外周面がガイドハウジング１０´の雄ハウジング嵌合穴部１０ｂ´の内周面に密着し防水シールするようにして圧入されている。
【００５４】
雄ハウジング嵌合穴部１０ｂ´には雄ハウジング８を嵌合挿着し、本体部１１ｅ´を内向きフランジ部１０ｃ´と雄ハウジング８との間に挟むことで、シール部材１１´をガイドハウジング１０´に組付け固定する。
【００５５】
なお、シール部材１１´のガイドハウジング１０´への取り付け構造以外の部分は、基本的には先の実施の形態例と変わるところがない。
【００５６】
さらに、上記実施の形態例では、図１０に示したように、雄ハウジング８の前側端面に雄端子収容室８ｂの前側開口周縁部から縦長楕円の筒形状になって前方に突出する雄ハウジング圧入凸部８ａを形成したが、雄ハウジング圧入凸部８ａの代わりに格子状の突出部を形成するようにしてもよい。
【００５７】
図２１は、図１０に相当する変形例を示す図であり、雄ハウジング１０８の前面には、雄端子収容室８ｂの前側開口周縁部から格子状に区切る突条部１０８ａを形成している。この雄ハウジング１０８では、格子状の突条部１０８ａの内側の平面にシール部材１１を押し当てることにより防水シールを行なう。
【００５８】
なお、雄ハウジング１０８の突出部１０８ａの構造以外の部分は、基本的には先の実施の形態例と変わるところがないことから、図１０の雄ハウジングと同じ機能を果たす部分に同じ参照番号を付して説明を省略している。
【符号の説明】
【００５９】
１  防水コネクタ
２  雌コネクタ
３  雌端子（雌圧着端子）
３ａ，７ａ  接触部
３ｂ，７ｂ  電線圧着部
４  雌ハウジング
４ａ  雌ハウジング圧入凹部
４ｂ  雌端子収容室
４ｃ  雄端子挿通穴
４ｄ  立ち上がり壁部
４ｅ,８ｄ  ランス
４ｆ  ロック片
４ｇ  係合突部
４ｈ  係止段部
４ｉ  第２係止片挿入溝
４ｊ，４ｋ  係合突部
５  雌リテーナ
５ａ，９ａ  覆板部
５ｂ，９ｂ  電線挿通溝
５ｃ，９ｃ  シールゴム押さえ片
５ｄ  第１係止片
５ｅ  第２係止片
６  雄コネクタ
７  雄端子（雄圧着端子）
７ｃ  係止部
８，１０８  雄ハウジング
８ａ  雄ハウジング圧入凸部
８ｂ  雄端子収容室
８ｃ  水平板部挿入穴
８ｅ  係合突部
８ｆ，８ｇ  係止段部
９  雄リテーナ
９ｄ  係止片
９ｅ  水平板部
１０，１０´  ガイドハウジング
１０ａ，１０ａ´  雌ハウジング嵌合穴部
１０ｂ，１０ｂ´  雄ハウジング嵌合穴部
１０ｃ，１０ｃ´  内向きフランジ部
１０ｄ  隔壁
１０ｅ  雄端子挿通穴
１０ｆ  ロック片
１０ｇ，１０ｊ  係止穴
１０ｈ  切り欠き部
１１，１１´  シール部材
１１ａ，１１ａ´  圧入凹部（第１シール部）
１１ｂ，１１ｂ´  圧入凸部（第２シール部）
１１ｃ，１１ｃ´、１１ｄ，１１ｄ´  シール用突条
１１ｅ，１１ｅ´  本体部
１１ｆ、１１ｆ´  雄端子挿通シール穴
１１ｇ，１１ｇ´  雌端子押さえ
１２，１３  電線
１２ａ，１３ａ  シールゴム
１０８ａ  突状部
【図１】
2011065957.tif 000003
【図２】
2011065957.tif 000004
【図３】
2011065957.tif 000005
【図４】
2011065957.tif 000006
【図５】
2011065957.tif 000007
【図６】
2011065957.tif 000008
【図７】
2011065957.tif 000009
【図８】
2011065957.tif 000010
【図９】
2011065957.tif 000011
【図１０】
2011065957.tif 000012
【図１１】
2011065957.tif 000013
【図１２】
2011065957.tif 000014
【図１３】
2011065957.tif 000015
【図１４】
2011065957.tif 000016
【図１５】
2011065957.tif 000017
【図１６】
2011065957.tif 000018
【図１７】
2011065957.tif 000019
【図１８】
2011065957.tif 000020
【図１９】
2011065957.tif 000021
【図２０】
2011065957.tif 000022
【図２１】
2011065957.tif 000023